(57)【要約】      （修正有）【課題】マイナスイオン発生低温サウナ４０℃〜４５℃、８０％の高湿度サウナによって、人体のソマチットに活力を与えて健康躍進に役に立つサウナを提供する。【解決手段】腰掛の下に、水槽を作り、貯水タンクの調整水位置にフフロートを設置する。温熱循環パイプを水中ポンプ室３よりイオン発生装置１６に連結する。マイナスイオン発生装置２を連結して温水を循環させて、噴出し穴からマイナスイオン湯となって吹き出る。水中ポンプ６から１６を通り温熱循環パイプの穴からマイナスイオン湯が、吹き出て循環排水斜面を下り湯の戻り口を通りのポンプ室３に戻る循環式です。【選択図】図−１
2011031004.tif 000002
【特許請求の範囲】
【請求項１】
マイナスイオン発生低温サウナ４０℃〜４５℃、８０％の高湿度サウナの開発によって、人体のソマチットに活力を与えて健康躍進に役に立つサウナの開発です。
人体の（ソマチット）に（エサ）マイナスイオンをサウナ室内で中和させて多量に（ソマチット）に与えて活性化する事により免疫を高める、（自由電位）マイナスイオンの力で身体の芯から温まり、毒素と一緒に発汗できる低温高湿度サウナの開発です。
人間の体は、約６５個の原子から成り立っているのです。胃・腸・内臓・骨・皮膚・細胞等です。その（細胞）が原子から成り立っているのです。
原子核の真ん中にプラス電気。外側の電子が、マイナス電気です。
人間の体内に細胞の数が（約６０兆）以上有ると言われていますが。（ソマチット）は細胞の何十倍〜何千倍も身体の血液に存在する超微小生体です測定不能。
文明の変化により、環境の悪化・食料の悪化等で（ソマチット）の活動力が低迷悪化して癌、又は、生活習慣病・長命老人病の介護が増加していく時代と共に医療費の負担が増加している現況です。その原因が人体のソマチットの活力低下が原因である。
【請求項２】
多量のマイナスイオン発生サウナ装置の開発により、従来の高温乾燥サウナ施設等の入浴改革ができます。低温サウナ開発により福祉介護老人の方々もが楽しく入浴が出来るサウナです。今までのサウナ（高温・９０℃〜１１０℃・乾燥サウナ方法とは数段相違の開発です。
ソマチットは（自由電位・マイナスイオン）が大好きです。マイナスイオンはソマチットの活動力と活性化に最適の（エサ）になるのです。
【請求項３】
長野県和田峠産の黒曜石を長年研究した結果、黒曜石とトルマリン鉱石及び、マイナスイオン発生鉱物を混合し、イオンボールを開発した、強力マイナスイオンボールの作成が出来、人体に良い自然鉱石によって、マイナスイオン成分が出来たのです。トルマリン黒曜石イオンボールが開発されたのです、マイナスイオンは、１ボール（Φ１０ｍｍ）当り２７００個１ＣＣ（株式会社佐藤商事形式ＣＯＭ−３０１０ＰＲＯ使用）の測定器から出ています。日本機能性イオン協会認定許可。今回開発されたマイナスイオン発生容器からは、上記の佐藤会社の測定器で２０秒間に１ｃｍ３から１０．０００個以上のマイナスイオンが半永久的に持続します。荻原大出願（申請）番号・特願２００９−９０４９８の方法を応用し、発汗ができるサウナ・車椅子でも数人同時に入浴が簡単にできる低温サウナの開発方法です。
【発明の詳細な説明】
【技術分野】
【背景技術】
【０００１】  今までのサウナは、高温９０℃〜１１０℃で乾燥させるサウナで我慢をしながら発汗をさせる仕組みです。【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量でマイナスイオン発生量が少ない為、人体に効力が少ない、又、高温乾燥サウナが多いため、健康の方々が入浴できる限定されたサウナです。
【発明の開示】
【発明が解決しようとする課題】
【０００３】  本発明は、スポーツランド・ホテル関係・旅館・（温泉設備）、及び、福祉介護の方々の入浴介護働力を改善し入浴湯及び経費の節約と３５℃〜４５℃の低温、及び、高湿度８０％とマイナスイオンを中和させて、鼻・口・皮膚から吸収し、人体のソマチットに活力を与えて芯から温まり、毒素を持って発汗ができる画期的な低温高湿度サウナの開発であります。
２１世紀の健康入浴施設サウナ方法、及び、福祉介護入浴方法は、人体のソマチットを活性化させるマイナスイオン（エサ）を与えて、ソマチットの活力で健康を回復する時代です。人間の体は、６５個の原子から成り立っていると言われています。世の中の全ての物質は、１０３個の原子から成り立っていると言われています。原子とは？（１例）水は２個の原子（Ｈ２Ｏ）水素と酸素。人体は、胃・腸・内臓・骨・皮膚・それを小さくすると（細胞約６０兆）の細胞が人間の原子です。【０００４】  人体の細胞数、約６０兆あることはご存知通りです、その６０兆の何百倍〜何千倍いる超微小生命体がソマチットです。（測定不能です。）【０００５】  人体の新しい細胞を分離し作るものが、ソマチットの重要役目です。ソマチットを活性化させる（エサ）になるのが（自由電位・マイナスイオン）です・その重要なマイナスイオンを低温・高湿度を中和させて低温で発汗できる画期的なサウナの開発装置です。【０００６】  マイナスイオンは森林浴（滝壺）近辺に多く発生していますが、現在高温乾燥サウナ施設のある場所に。今回開発の低温サウナ施設を設置して、人体の免疫力を高め、弱者の方々及び、老人の方々がサウナ室で気持の良い温度で人体のソマチットを活性化させてソマチットの力で発汗できる低温サウナの開発によって医療費が削減できます。【０００７】  ソマチットは赤血球の近辺をチラチラと活動している超微小生体で大きさは（８０ナノメートル）以下である。普通の光学顕微鏡では発見できないほど超微小生体である。ソマチットをマイナスイオン水に入れると自然にソマチットが活動する事が発見できたのです。【０００８】  特開２００５−２５３８９５マイナスイオン発生装置岩盤浴サウナ開発体験所を作成し、数万人の方々の良い反響により感謝されています。現在高温サウナ設置されている数多くの場所、及び、福祉介護・老人介護施設・デーサービスに車椅子で入浴が出来る体験所も作成しました。低温３５℃〜４０℃で身体のソマチットが元気になって、芯から発汗する低温サウナである事を実証できました。
【課題を解決するための手段】
【０００９】長野県和田峠産黒曜石を利用した黒曜石とトルマリン鉱石及びリンサンエン鉱物を粉末ミックスに作成して、９００度から１０００度、以下でセラミックスボールを作成し、荻原大特願２００７−２２２８６開発したマイナスイオン発生装置を（図面−３）の腰掛下の３２水槽タンクの中に設置する、（図面−１）の６水中ポンプから温湯循環パイプに２７各、箇所に取り付けする。６水中ポンプで湯圧を加えた湯を送り、（図面−３）の３６のパイプに、無数の穴を開け２９噴出し口から、マイナスイオン湯となって吹き出て、３水槽に戻り、マイナスイオン湯が循環する装置です。【００１０】  トルマリン鉱石は人体に効能効果がある薬石として世間で数多くの色々な方法で使用されている鉱石である。特にトルマリン鉱石を飲料水に多く使用されている、その鉱石を（図面３）の３５鉱石収納カゴに多量にセット使用する３３滝落とし壁を伝わり、▲３▼滝落としシャワーとなってマイナスイオンが発生し、高湿度となって室内に充満中和して、鼻・口・皮膚・等が身体全体のソマチットが活性化出来る装置です。黒曜石は昔から健康水として黒曜石を色々な方法で加工されて使用している。特許出願者荻原大が開発した数多くのサウナ、関係及び岩盤浴関係に関して黒曜石を使用した事は、類の無い初期開発である。
【発明を実施するための最良の形態】
【００１１】  使用する黒曜石は産地として有名な長野県和田峠産であり、その成分含有率の一例を表１に示す。
【表１】
2011031004.tif 000003
【表２】
2011031004.tif 000004
【００１２】  上記の鉱石で長年実験と体験場（当社）岩盤浴を作成した所、数万人の入浴者の結果が良好で、低温３８℃〜４５℃で体の芯まで温まり、発汗するサウナ装置です。現在の温泉・ホテル・スポーツセンターに設置してある高温乾燥サウナの場所の改善に、又、車椅子・ベット・福祉介護（老人ホーム）又は、デーサービス用に使用される事を要望で開発しました。
ソマチット活性化マイナスイオン発生装置本体は、半永久的マイナスイオンが発生持続し、メンテナスが０円で使用が出来ます。
【図面の簡単な説明】
【００１３】
【図１】平面図。
【図２】正面  断面図。
【図３】横  断面図
【００１４】（図面１）の説明  室内の断面図
施工の注意、外周の壁・天井・床下・断熱材と保温熱とマイナスイオン蓄積等の役割が重要です。
特徴２５床段から温熱マイナスイオン生成材黒曜石＋トルマリン鉱石を加工して多く使用し、温熱を加えると同時に室内全体３３滝からマイナスイオンを発生高湿度と中和させ２８特殊シンダー盤、及び、２４特殊シンダー壁に蓄積させてマイナスイオンを人体のソマチットに、鼻・口・皮膚等から吸収できる２１世紀の健康低温サウナの開発です。【００１５】３２腰掛の下に、水槽を作り、３貯水タンクの調整水位置に３０（フローと）設置。
温熱循環パイプを３水中ポンプ室より１６イオン発生装置に連結する。
出願番号２００８−５１１９７荻原大申請マイナスイオン発生装置を（図１）平面図のように連結して温水を循環させて、（図面３）の２９噴出し穴からマイナスイオン湯となって吹き出る。
（図面１）６水中ポンプから１６マイナスイオン発生装置を通り温熱循環パイプの２９穴からマイナスイオン湯が、吹き出て循環排水斜面を下り湯の戻り口を通り３のポンプ室に戻る循環式です。【００１６】（図３）断面図滝落とし、高湿度＋マイナスイオン発生装置の仕組み。４滝落とし送水ポンプから１３滝上段シャワーパイプから、３３サラサラ流れ落ちる滝落とし壁により室内が一定の温度と温度が中和され保ち、高湿度が発生する。
３５カゴに、トルマリン鉱石・黒曜石・イオン生成鉱石等を搬入して３６カゴから温湯が通り、３４の排水パイプを通って、４水中ポンプで循環する装置。【００１７】（図６）２列対流配管床暖房の荻原大出願番号２００５−２３００５１床段２列平行対立温水流通方式（図面３）の３７特殊シンダーコンコリートの中に２２床段熱を配管する事によって入浴室内が平均化して温度が安定し暖まる原理です。【００１８】（図１）１０長椅子台でも入浴できる、又、健康の方々は、１１特殊シンダーパネル盤は荻原大出願番号２０００５−１１９６８４岩盤浴入浴ができる。【００１９】▲６▼マイナスイオン空気送風ポンプで５外気の空気を室内に送る。
５空気マイナスイオン発生装置と９特殊マイナスイオン発生装置と連結する事により、入浴室内の空気が常にマイナスイオン空気となって、低温で高湿度と中和が出来、鼻・口・皮膚・から人体に入りソマチットが活性する装置です。
【符号の説明】
【００１９】１    基礎。
２    滝落マイナスイオン発生装置。
３    循環受水槽装置。
４    滝循環水中ポンプ。
５    マイナスイオン発生  エアーポンプ。
６    腰掛下、マイナスイオン湯循環ポンプ。
７    ボイラー室。
８    石油タンク。
９    エアー・マイナスイオン特殊発生装置。
１０  長椅子、移動式。
１１  特殊パネル盤。
１２  腰掛下、湯タンク装置。
１３  滝落しパイプ装置。
１４  非常口ドアー。
１５  出入口ドアー。
１６  特殊マイナスイオン発生装置。
１７  建物  壁。
１８  基礎  土間。
１９  ビニールヒート。
２０  断熱材。
２１  メッシュ筋。
２２  床  断熱配管装置。
２３  マイナスイオン発生特殊シンダーコンクリート。
２４  特殊シンダーモルタル壁。
２５  マイナスイオン噴出口。
２６  マイナスイオン水槽タンク。
２７  特殊マイナスイオン発生装置。
２８  特殊シンダー盤。
２９  マイナスイオン水  噴出口。
３０  上面  水位。
３１  温熱調整バイプ。
３２  温湯腰掛下  貯水タンク。  ３３滝、スベリ板。  ３４、循環排水パイプ。
３５、マイナスイオン鉱石。３６循環送水パイプ  ３７、特殊シンダーコンクリート。
【図−１】
2011031004.tif 000005
【図−２】
2011031004.tif 000006
【図−３】
2011031004.tif 000007